【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
医療行為中に患者を支持し、位置決めするための装置であって、
ａ）間隔が隔てられて床に支持される第１および第２の端部を有するベースを備え、
前記第１および第２の端部の各々は、上向きに延在する部分を有しており、
前記装置は、さらに、
ｂ）前記ベースの前記第１および第２の端部の前記上向きに延在する部分の間に延在する患者支持体であって、一対の外端と、内側部分と、を有する患者支持体を備え、
ｃ）前記患者支持体の前記外端の各々は、前記ベースの前記端部の前記上向きに延在する部分のそれぞれ１つに対して、外側関節を有しており、
ｄ）前記患者支持体の前記内側部分は、内側関節を有しており、
ｅ）前記ベースの前記端部の前記上向きに延在する部分の各々は、互いに対しておよび前記ベースに対して複数の角度配向で前記患者支持体を選択的に位置決めするように動作可能な角度形成機構を備え、
ｆ）少なくとも１つの角度形成機構が、前記患者支持体の角度配向の変化と協働して他の角度形成機構に近づくように長手方向にアクティブに並進され、前記床に支持される前記ベースの前記端部が、固定状態にとどまる
装置。
【請求項２】
医療行為中に患者を支持し、位置決めするための装置であって、
ａ）床に支持される複数の外側端部を有するとともに、上向きに延在し対向する第１および第２の端部支持体を有するベースと、
ｂ）前記第１および第２の端部支持体の間に延在する患者支持体であって、第１および第２の部位を有する患者支持体と
を備え、
前記第１および第２の部位の各々は、内端および外端を有し、
ｃ）前記患者支持体の前記第１および第２の部位の前記外端の各々は、角度形成アクチュエータによって、それぞれの端部支持体に連結され、
ｄ）前記患者支持体の前記第１および第２の部位の前記内端は、相互に近傍に位置決めされるとともに、間隔が隔てられた一対のヒンジによって直接的に連結され、
ｅ）前記角度形成アクチュエータは、少なくとも１つのアクチュエータが他のアクチュエータに向けて移動する場合に、前記患者支持体の前記第１および第２の部位を、互いに対して複数の角度配向に選択的に位置決めするように動作可能であり、
ｆ）前記ベースの前記外側端部は、前記患者支持体の前記第１および第２の部位が前記複数の角度配向に位置決めされる場合に、前記床に対して固定されたままである
装置。
【請求項３】
請求項２に記載の装置であって、
さらに、胴部並進器を備え、
前記胴部並進器は、
全体的に前記第１の部位に取り付けられるとともに、単一的に前記第１の部位と係合し、
前記第１の部位と摺動関係を有する
装置。
【請求項４】
医療行為中に患者を支持し、位置決めするための装置であって、
ａ）床に支持される複数の外側端部を有するとともに、上向きに延在し対向する第１および第２のベース部材を有するベースと、
ｂ）前記第１および第２の端部支持体の間に延在する患者支持構造と
を備え、
前記患者支持構造は、頭部部位および脚部部位を有し、
前記頭部部位および前記脚部部位の各々は、内端および外端を有し、
前記患者支持構造の前記頭部部位および前記脚部部位の前記外端の各々は、角度形成サブアッセンブリによってそれぞれの端部支持体に連結され、
前記患者支持構造の前記頭部部位および前記脚部部位の前記内端は、間隔が隔てられた一対のヒンジによって連結され、
ｃ）前記角度形成サブアッセンブリは、少なくとも１つの角度形成サブアッセンブリが他の角度形成サブアッセンブリに向けて移動する場合に、前記患者支持構造の前記頭部部位および前記脚部部位を、互いに対して複数の角度配向に選択的に位置決めするように動作可能であり、
前記ベースの前記外側端部は、前記患者支持構造の前記頭部部位および前記脚部部位が前記複数の角度配向に位置決めされる場合に、前記床に対して固定されたままである
装置。
【請求項５】
請求項４に記載の装置であって、
前記患者支持構造は、胴部並進器アッセンブリと協働して、前記患者支持構造の前記頭部部位の前記外側端部の近傍に取り付けられるとともにコントローラによって作動されるリニアアクチュエータによって、前記頭部部位および前記脚部部位に対して移動される
装置。
【請求項６】
請求項４に記載の装置であって、
前記胴部並進器アッセンブリは、さらに、胸部パッドと、頭部支持体と、取り外し可能な腕部ボードと、を備える
装置。
【請求項７】
請求項４に記載の装置であって、
前記頭部部位および前記脚部部位の角度位置を感知する１組のセンサを備え、
前記コントローラは、前記患者支持構造の角度位置の変化を補償するように、前記並進補償サブアッセンブリを動作可能に駆動する
装置。
【請求項８】
請求項７に記載の装置であって、
前記コンピュータは、前記ベース部材の端部に対する、および、互いに対する前記頭部部位および前記脚部部位の角度と、前記頭部部位に対する前記胴部並進器の位置と、を協働させるように、角度と、前記ベース部材の端部に対する前記頭部部位および前記脚部部位の各々の垂直方向の高さと、前記端部支持体の各々の垂直方向の高さと、を制御するアクチュエータに接続される
装置。
【請求項９】
請求項４に記載の装置であって、
前記胴部並進器は取り外し可能である
装置。
【請求項１０】
請求項４に記載の装置であって、
前記頭部部位および前記脚部部位は、それぞれ、オープンフレームから構成される
装置。
【請求項１１】
請求項４に記載の装置であって、
前記脚部部位は、該脚部部位の上部面および該脚部部位の内側端部の近傍のいずれかの側に取り付けられる臀部パッドを有する
装置。
【請求項１２】
医療行為中に患者を支持するための装置であって、
ａ）床に支持され、第１および第２の端部支持体を有するベースと、
ｂ）患者支持構造と
を備え、
前記患者支持構造は、
ｉ）前記第１および第２の端部支持体にそれぞれ連結される第１および第２の外側端部と、
ｉｉ）第１および第２の部位であって、該第１および第２の部位の間で関節動作可能な第１および第２の部位と
を有し、
前記装置は、さらに、
ｃ）前記第１の端部支持体を前記第１の外側端部に連結する第１の角度形成駆動機構と、
ｄ）前記第２の端部支持体を前記第２の外側端部に連結する第２の角度形成駆動機構と
を備え、
ｅ）前記患者支持構造の前記第１および第２の外側端部は、前記患者支持構造の前記第１および第２の部位が互いに対して、および、それらのそれぞれの端部支持体に対して様々な角度に関節動作されることに応答して、電動式の長手方向並進機構によって、互いに近づく方向および互いに離れる方向にアクティブに移動される
装置。
【請求項１３】
請求項１２に記載の装置であって、
前記第１および第２の外側端部が共に近づくように移動される場合に、
ａ）前記第１および第２の角度形成駆動機構は、共に近づくように移動されるように、前記床に対して長手方向にアクティブに並進される
装置。
【請求項１４】
請求項１２に記載の装置であって、
前記第１および第２の外側端部が共に近づくように移動される場合に、
ａ）前記患者支持構造の前記第１および第２の外側端部の１つは、長手方向に内側に向けて移動される
装置。
【請求項１５】
請求項１２に記載の装置であって、
前記第１および第２の外側端部が共に近づくように移動される場合に、
ａ）前記患者支持構造の前記第１および第２の外側端部の両方は、長手方向に内側に向けて移動される
装置。
【請求項１６】
請求項１２に記載の装置であって、
ａ）少なくとも１つの電動式の長手方向並進機構が、前記ベースの前記第１および第２の端部支持体の各々に接続される
装置。
【請求項１７】
請求項１２に記載の装置であって、
ａ）前記第１の角度形成駆動機構および前記第１の端部支持体は、ロール機構と協働して、前記患者支持構造を移動させる
装置。
【請求項１８】
請求項１２に記載の装置であって、
ａ）前記第１および第２の部位は、内側関節を有し、
ｂ）前記内側関節は、放射線透過性であり、それによって、前記患者の撮影が妨げられず、
前記患者は、医療行為中に、前記内側関節の第１側および第２側に位置決めされ、支持される
装置。
【請求項１９】
医療行為中に患者を支持するための装置であって、
ａ）床によって支持され、第１および第２の端部支持体を有するベースと、
ｂ）患者支持構造と
を備え、
前記患者支持構造は、
ｉ）前記第１および第２の端部支持体にそれぞれ連結される第１および第２の外側端部と、
ｉｉ）第１および第２の部位であって、該第１および第２の部位の間で関節動作可能な第１および第２の部位と
を有し、
前記装置は、さらに、
ｃ）前記第１の端部支持体を前記第１の外側端部に連結する第１の角度形成駆動機構と、
ｄ）前記第２の端部支持体を前記第２の外側端部に連結する第２の角度形成駆動機構と
を備え、
ｅ）前記患者支持構造の前記第１および第２の外側端部は、前記患者支持構造の前記第１および第２の部位がそれぞれの前記角度形成駆動機構によって、互いに対して、および、それぞれの前記端部支持体に対して、所定角度に関節動作される場合に、電動式の水平方向並進機構によって、共に近づくようにアクティブに移動される
装置。
【請求項２０】
請求項１９に記載の装置であって、
前記第１および第２の外側端部が共に近づくように移動する場合に、
ａ）前記第１および第２の角度形成駆動機構の一方は、他方に近づくように、前記床の上方を長手方向に移動する
装置。
【請求項２１】
請求項１９に記載の装置であって、
前記第１および第２の外側端部が共に近づくように移動する場合に、
ａ）前記第１および第２の角度形成駆動機構の両方は、他方に近づくように、前記床の上方を長手方向に移動する
装置。
【請求項２２】
請求項１９に記載の装置であって、
ａ）前記床の上方の、該床と間隔が隔てられた電動式の水平方向並進機構が、前記ベースの前記第１および第２の端部支持体の各々と接続される
装置。
【請求項２３】
請求項１９に記載の装置であって、
ａ）前記第１の角度形成駆動機構は、前記第１の端部支持体と、前記患者支持構造の前記第１の外側端部と、の間に位置決めされる第１の連結サブアッセンブリを備え、
ｂ）前記第２の角度形成駆動機構は、前記第２の端部支持体と、前記患者支持構造の前記第２の外側端部と、の間に位置決めされる第２の連結サブアッセンブリを備える
装置。
【請求項２４】
医療行為中に患者を支持するための装置であって、
ａ）垂直方向に調節可能な第１および第２の支持コラムであって、電動式の角度形成サブアッセンブリを有する第１および第２の支持コラムと、
ｂ）患者支持構造と
を備え、
前記患者支持構造は、第１および第２の部位であって、該第１および第２の部位の間で関節動作可能な第１および第２の部位を備え、
前記第１および第２の部位の各々は、第１の端部と、前記第１および第２の支持コラムにそれぞれ連結される第２の端部と、を備え、
前記患者支持構造の前記第１および第２の端部は、それぞれの角度形成サブアッセンブリによって、それぞれの前記第１および第２の支持コラムに接続され、
前記角度形成サブアッセンブリは、それぞれの前記支持コラムに対する前記患者支持構造の前記第１および第２の部位の角度を制御し、
前記角度形成サブアッセンブリの各々は、前記患者支持構造の前記第１および第２の部位の関節動作とともに、互いに近づく方向および互いに離れる方向に並進される
装置。